(57)【特許請求の範囲】
【請求項１】
弾性体により形成され、架線から分岐接続された引下線を前記架線に把持させるための引下線把持具であって、
前記引下線を挿入するための引下線挿入口を有し、前記引下線を把持する第１把持部と、
前記引下線挿入口に延設された２つの延設部を有し、前記２つの延設部の挟持により前記架線を把持する第２把持部と、を備え、
前記第１把持部は、前記引下線が前記引下線挿入口から挿入されて周囲が押圧されることにより前記引下線を把持し、
前記第２把持部は、前記第１把持部の押圧により前記２つの延設部が交差し、交差した前記２つの延設部の間に前記架線が挿入され、
前記第１把持部の押圧が解除されると、前記弾性体の弾性力により、前記架線が前記２つの延設部に挟持されて前記第２把持部に把持されるとともに、前記引下線が前記第１把持部に把持される、
ことを特徴とする引下線把持具。
【請求項２】
前記第１把持部は、前記引下線が前記第１把持部から抜け落ちるのを防止する抜出防止部材を有する、
ことを特徴とする請求項１に記載の引下線把持具。
【請求項３】
前記引下線把持具は、さらに、
前記第１把持部の周囲に突設され、前記第１把持部を押圧するためのグリップ部を備え、
前記グリップ部を押圧すると、その押圧により前記第１把持部を押圧する、
ことを特徴とする請求項１または２のいずれか１項に記載の引下線把持具。
【発明の詳細な説明】
【技術分野】
【０００１】
この発明は、架線から分岐接続された引下線を架線とともに把持させるための引下線把持具に関する。
【背景技術】
【０００２】
引下線把持具は、例えば、高圧引下線を切断する作業の際、切断した高圧引下線を架線に仮固定するために用いられる。
【０００３】
図６は、このような高圧引下線を切断する作業の例を示す模式図であり、高圧引下線を切断するときを示す図（ａ）、及び切断した高圧引下線を架線に仮固定するときを示す図（ｂ）である。図６（ａ）に示すように、高圧引下線２が架線３から分岐されて係止具３１ａ，３１ｂにて係止されている状態において、高圧引下線２を切断して架線３に仮固定する場合、２名の作業者Ａ，Ｂにより行われる。作業者Ａは、絶縁ヤットコ２１を用いて高圧引下線２を把持する。作業者Ｂは、引下線カッタ２２を用いて、高圧引下線２を切断する。
【０００４】
図６（ｂ）に示すように、作業者Ａは、絶縁ヤットコ２１を用いて把持した高圧引下線２を架線３に沿うように移動する。作業者Ｂは、絶縁ヤットコ２３を用いて、絶縁ヤットコ２３の高圧引下線２側先端に取り付けられているシートクリップ２４にて高圧引下線２を架線３に仮固定する。
【０００５】
このシートクリップ２４は、高圧引下線２が抜けやすいため、作業者にとって煩わしいものであった。このため、シートクリップの外面に引下線を挟持することができる複数の突起部を設けた間接活栓線工事用クリップが知られている（例えば、特許文献１参照。）。この間接活栓線工事用クリップは、例えば樹脂部材等の可撓性を有する部材により形成されていて、引下線を容易に挟持することができるものである。
【先行技術文献】
【特許文献】
【０００６】
【特許文献１】特開２０１４−１２１１６２号公報
【発明の概要】
【発明が解決しようとする課題】
【０００７】
しかしながら、図６（ｂ）の場合における作業者Ｂのように、引下線カッタを絶縁ヤットコに持ち替えて作業を継続する必要があり、切断した引下線への監視が行き届かなくなる恐れがあった。
【０００８】
そこでこの発明は、引下線を切断した後は引下線を把持した作業者がそのまま架線に把持させることを可能にする引下線把持具を提供することを目的とする。
【課題を解決するための手段】
【０００９】
上記課題を解決するために、請求項１の発明は、弾性体により形成され、架線から分岐接続された引下線を前記架線に把持させるための引下線把持具であって、前記引下線を挿入するための引下線挿入口を有し、前記引下線を把持する第１把持部と、前記引下線挿入口に延設された２つの延設部を有し、前記２つの延設部の挟持により前記架線を把持する第２把持部と、を備え、前記第１把持部は、前記引下線が前記引下線挿入口から挿入されて周囲が押圧されることにより前記引下線を把持し、前記第２把持部は、前記第１把持部の押圧により前記２つの延設部が交差し、交差した前記２つの延設部の間に前記架線が挿入され、前記第１把持部の押圧が解除されると、前記弾性体の弾性力により、前記架線が前記２つの延設部に挟持されて前記第２把持部に把持されるとともに、前記引下線が前記第１把持部に把持される、ことを特徴とする。
【００１０】
この発明によれば、第１把持部に引下線が挿入されて第１把持部の周囲が押圧されることにより引下線を把持し、第１把持部の押圧により２つの延設部が交差してその間に架線が挿入され、第１把持部の押圧が解除されると架線が２つの延設部に挟持されて第２把持部に把持されるとともに、引下線が第１把持部に把持される。
【００１１】
請求項２の発明は、請求項１に記載の引下線把持具において、前記第１把持部は、前記引下線が前記第１把持部から抜け落ちるのを防止する抜出防止部材を有する、ことを特徴とする。
【００１２】
請求項３の発明は、請求項１または２のいずれか１項に記載の引下線把持具は、さらに、前記第１把持部の周囲に突設され、前記第１把持部を押圧するためのグリップ部を備え、前記グリップ部を押圧すると、その押圧により前記第１把持部を押圧する、ことを特徴とする。
【発明の効果】
【００１３】
請求項１の発明によれば、第１把持部の周囲が押圧されると引下線が把持され、さらに２つの延設部が交差されてその間に架線を挿入され、第１把持部の押圧が解除されると、架線が２つの延設部に挟持されて第２把持部に把持されるとともに、引下線が第１把持部に把持される。そのため、引下線が第１把持部に把持された状態で架線を挿入できる位置に移動し、架線を挿入して第１把持部の押圧を解除すると引下線が架線に仮固定される。これにより、作業者の習熟度によらずに誰でも使用可能となるとともに、作業の効率化・迅速化を図り、作業者の疲労を軽減させることが可能となる。また、引下線を切断した作業者が切断後は引下線の監視に専念することができるので事故を未然に防止できる。
【００１４】
請求項２の発明によれば、抜出防止部材を有するので、第１把持部を押圧している際に引下線が抜けるのを防止することができる。
【００１５】
請求項３の発明によれば、第１把持部を押圧するための２つのグリップ部を備えたことにより、第１把持部を容易かつ安定して押圧することを可能にする。
【図面の簡単な説明】
【００１６】
【図１】この発明の実施の形態１に係る引下線把持具を示す平面図（ａ）と、斜視図（ｂ）と、第１把持部を押圧した状態を示す平面図（ｃ）である。
【図２】図１の引下線把持具に高圧引下線が把持された状態を示す平面図である。
【図３】図２の状態からさらに第１把持部を押圧して架線が挿入された状態を示す平面図である。
【図４】図３の状態から第１把持部の押圧を解除して架線が把持された状態を示す平面図である。
【図５】この発明の実施の形態２に係る引下線把持具を示す平面図（ａ）と、第１把持部を押圧した状態を示す平面図（ｂ）である。
【図６】高圧引下線を切断する作業の例を示す模式図（ａ）と、切断した高圧引下線を架線に仮固定する作業の例を示す模式図（ｂ）である。
【発明を実施するための形態】
【００１７】
以下、この発明を図示の実施の形態に基づいて説明する。
【００１８】
（実施の形態１）
図１乃至図４は、この発明の実施の形態１を示し、図１は、この実施の形態１に係る引下線把持具を示す平面図（ａ）と、斜視図（ｂ）と、第１把持部を押圧した状態を示す平面図（ｃ）である。この引下線把持具１は、図６（ａ）及び（ｂ）に例として示した高圧引下線２を把持するとともに架線３を把持するための把持具であり、絶縁ヤットコ等を用いて使用される。引下線把持具１は、第１把持部１１と、抜出防止部材１２と、第２把持部１３と、係止部１４と、を備えている。
【００１９】
第１把持部１１は、高圧引下線２が挿入され、周囲が押圧されることにより高圧引下線２を把持するためのものであり、プラスチック等の弾性体により形成される断面略円形（Ｃ字状）で上方に引下線を挿入するための引下線挿入口１１ａが形成されている。抜出防止部材１２は、高圧引下線２が第１把持部１１から抜け落ちるのを防止するためのものであり、ゴム等の可撓性を有する部材により第１把持部１１の内部に第１把持部１１の内壁を覆うように設けられており、高圧引下線２に接触して挟持する挟持部１２ａが形成されている。
【００２０】
第２把持部１３は、第１把持部１１の両端からプラスチック等の弾性体により延設された第２把持部１３−１，１３−２により構成されており、架線３を挟持して把持するためのものである。第２把持部１３−１は、高圧引下線２が挿入される方向に対して右側に延設された箇所であり、第２把持部１３−２は、高圧引下線２が挿入される方向に対して左側に延設された箇所である。閉鎖部１４は、第２把持部１３−１，１３−２における第１把持部１１との延設箇所の他端からそれぞれプラスチック等の弾性体により折り曲げられて延設された閉鎖部１４−１，１４−２により構成されており、後述する第２把持部１３に挿入された架線３の開口部を閉鎖するためのものである。
【００２１】
図１（ｂ）に示すように、第２把持部１３−１は、第１把持部１１からの延設方向に細く延設された延設部１３ａから構成され、第２把持部１３−２は、二股に分離して延設された延設部１３ｂ，１３ｃから構成されている。延設部１３ａ，１３ｂ，１３ｃは、後述するように架線３を挟持する際に、延設部１３ａが延設部１３ｂと延設部１３ｃとの間に挿入され、延設部１３ａと延設部１３ｂとの間で架線３を挟持し、かつ延設部１３ａと延設部１３ｃとの間で架線３を挟持することにより、架線３を安定して挟持するため、このように形成されている。閉鎖部１４−１は、延設部１３ａからさらに延設された閉鎖部材１４ａから構成され、閉鎖部１４−２は、延設部１３ｂ，１３ｃから延設された閉鎖部材１４ｂ，１４ｃから構成されている。
【００２２】
引下線把持具１は、第１把持部１１が押圧されていないときは、図１（ａ）及び（ｂ）に示すように、引下線挿入口１１ａ及び挟持部１２ａが開口し、第２把持部１３−１と、第２把持部１３−２と、が離間した状態である。第１把持部１１の周囲を押圧すると、図１（ｃ）に示すように、第１把持部１１が断面略縦長の楕円形になって引下線挿入口１１ａ及び挟持部１２ａが閉口し、第２把持部１３−１と、第２把持部１３−２と、が交差した状態になり、閉鎖部１４−１と閉鎖部１４−２との間に架線３が挿入される架線挿入口１４ｄが上方に形成される。
【００２３】
この引下線把持具１の使用例について、図２乃至図４を用いて説明する。
【００２４】
図２に示す引下線把持具１は、図１（ａ）と同様に、押圧されていない状態である。この状態で、高圧引下線２が引下線挿入口１１ａから挟持部１２ａに挿入され、第１把持部１１が軽く押圧されると、引下線挿入口１１ａ及び挟持部１２ａが閉口し、高圧引下線２が挟持部１２ａに密着されて把持される。第１把持部１１がさらに押圧されると、第２把持部１３−１と、第２把持部１３−２とが交差されて図３のような状態になる。
【００２５】
図３に示す引下線把持具１は、閉鎖部１４−１と閉鎖部１４−２との間に架線挿入口１４ｄが形成されている。この架線挿入口１４ｄには、架線３が挿入される。この状態で第１把持部１１の押圧が解除されると、閉鎖部１４−１と閉鎖部１４−２との間の架線挿入口１４ｄが閉鎖され、第２把持部１３−１と第２把持部１３−２との間に架線３が挟持され、図４のような状態になる。
【００２６】
図４に示す引下線把持具１は、高圧引下線２が挟持部１２ａに密着して把持されるとともに、第２把持部１３−１と第２把持部１３−２との間に架線３が挟持されて把持される。これにより、高圧引下線２が引下線把持具１を介して架線３に仮固定される。
【００２７】
このように、引下線把持具１によれば、第１把持部１１が押圧されると高圧引下線２が挟持部１２ａに密着されて把持される。ここで、さらに第１把持部１１が押圧されると、閉鎖部１４−１と閉鎖部１４−２との間に架線挿入口１４ｄが形成されるので、ここに架線３が挿入される。この状態で第１把持部１１の押圧が解除されると、第２把持部１３−１と第２把持部１３−２との間に架線３が挟持されて把持される。そのため、作業者は、第１把持部１１を押圧して高圧引下線２を把持した状態のまま、引下線把持具１を移動して架線３を架線挿入口１４ｄに挿入し、そのまま架線３を把持することが可能となる。これにより、高圧引下線２を把持する作業者の習熟度によらずに誰でも使用可能となるとともに、作業の効率化・迅速化を図り、作業者の疲労を軽減させることが可能となる。また、高圧引下線２を切断した後の作業を１人の作業者により行うことが可能となるので、高圧引下線２を切断した作業者は、切断後は高圧引下線２の監視に専念することができ、事故を未然に防止できる。さらに、抜出防止部材１２により、高圧引下線２が第１把持部１１から抜け落ちるのを防止できる。
【００２８】
（実施の形態２）
図５は、この実施の形態２に係る引下線把持具を示す平面図（ａ）と、第１把持部を押圧した状態を示す平面図（ｂ）である。この引下線把持具１Ａは、図１（ａ）〜（ｃ）に示す引下線把持具１に加えて、支点部１５と、グリップ部１６ａ，１６ｂとが設けられている点で、実施の形態１に係る引下線把持具１とは異なる。その他の構成においては、引下線把持具１と同様である。
【００２９】
支点部１５は、第１把持部１１と、グリップ部１６ａ，１６ｂとを接続し、グリップ部１６ａ，１６ｂが互いに近接する方向に押圧されたときに、第１把持部１１を左右に押圧するためのものである。グリップ部１６ａ，１６ｂは、間接活線工具のヤットコで把持されて第１把持部１１を押圧する際に使用されるものであり、第１把持部１１の周囲における支点部１５に突設されている。
【００３０】
このように、引下線把持具１Ａによれば、グリップ部１６ａ，１６ｂを設けたことにより、間接活線工法において第１把持部１１を容易かつ安定して押圧することが可能となる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態２におけるグリップ部１６ａ，１６ｂは、互いに近接させる方向に押圧すると第１把持部１１が押圧されるように設けたが、互いに離間させる方向に押圧すると第１把持部１１が押圧されるように設けてもよい。
【００３２】
また、第２把持部１３は、３つの延設部１３ａ，１３ｂ，１３ｃを設け、延設部１３ａが延設部１３ｂと延設部１３ｃとの間に挿入されて架線３を挟持する構成としたが、４つ以上の延設部を設ける構成にしてもよい。
【符号の説明】
【００３３】
１                        引下線把持具
２                        高圧引下線
３                        架線
１１                      第１把持部
１２                      抜出防止部材
１３，１３−１，１３−２  第２把持部
１３ａ，１３ｂ，１３ｃ    延設部
１４，１４−１，１４−２  閉鎖部
１４ａ，１４ｂ，１４ｃ    閉鎖部材
１５                      支点部
１６ａ，１６ｂ            グリップ部
【図１】
0006459677.tif 000002
【図２】
0006459677.tif 000003
【図３】
0006459677.tif 000004
【図４】
0006459677.tif 000005
【図５】
0006459677.tif 000006
【図６】
0006459677.tif 000007